Podtech/llm-jp-corpus-v4-ja_patent huggingface dataset:
(57)【要約】【目的】  コーヒーなどを内蔵し抽出できるフィルターの一部を取り付けた紙・樹脂コップ用蓋【構成】  紙コップ蓋、コーヒー等の収容フィルターで構成される【選択図】  図１
2005230298.tif 000002
【特許請求の範囲】
【請求項１】
専用の給湯用管で給湯できるように、コーヒーなどを内蔵したペーパーフィルターの一部を接続した紙・樹脂コップ用の蓋。
【発明の詳細な説明】
【技術分野】
【０００１】
本発明は飲料用かみ・樹脂コップの密閉用蓋に関するものである
【発明の開示】
【発明が解決しようとする課題】
【０００２】
自動販売機でレギュラーコーヒーを販売しようとすると、保健衛生上の問題が多く、機械のコストが非常に高くなっていた。また、従来から紙コップにレギュラーコーヒーやフィルターなどをセットした商品もあり、これであれば完成商品として自動販売機でも販売できるのだが、いずれもパッケージを破り、フィルターやコーヒーをセットする手間がかかっていた。
【課題を解決するための手段】
【０００３】
そこで、紙・樹脂コップの蓋にコーヒー入りフィルターパックの一部を取り付けたものを考案した。専用の管から給湯し、蓋をはがせば一緒にとれるようになっているので、簡単にレギュラーコーヒーや紅茶を抽出し、飲むことができる。その上、完全密閉できるので、カップ内の酸素を無くしておけば、コーヒーなどの鮮度を保つこともできるようになっている。
【発明の効果】
【０００４】
この蓋を装着した紙コップと専用の給湯器具を利用すると、蓋をを装着したままで給湯することが可能になる。給湯部の先端に、蓋を破断させる刃がついており、蓋をカットすると同時に給湯できるようになる。従って、衛生上の問題なく、入れ立てのレギュラーコーヒーなどを、自動販売機で販売できるようになる。また、管の外周部には、給湯時の空気抜きとして作用する穴が付いている。飲用時に初めて蓋をはがせば良いので、内容物をこぼしたりすることなく持ち運ぶことができる。また、購入者は蓋をはがすまでの時間を調節することで、好みの抽出度合いを選ぶことができる。
【図面の簡単な説明】
【０００５】
【図１】全体の構成図である。
【符号の説明】
【０００６】
１  紙コップ蓋本体
２  フィルターおよびコーヒー等の収容部
３  蓋との接続部
４  紙コップとの接続部
５  紙コップ
【図１】
2005230298.tif 000003
(57)【要約】【課題】  従来に比較して製造コストの低減を図る。【解決手段】  軸心を上下方向に向けた金属製の鎖取付軸３と、この鎖取付軸３に設けられた弾性栓本体４とを有し、前記弾性栓本体４が、中央部材６と、中央部材６の高さ方向中間部に連設された上方に向かって外方に拡がった環状のテーパー部材７と、中央部材６の上部に連設された環状の張出縁８とを有しており、前記テーパー部材７は、その下部が中央部材６に連設され、その上部と中央部材６との間に間隙１０が形成されており、鎖取付軸３の下部が弾性栓本体４に埋設されている。【選択図】  図１
2005230296.tif 000002
【特許請求の範囲】
【請求項１】
軸心を上下方向に向けた金属製の鎖取付軸と、この鎖取付軸に設けられた弾性栓本体とを有し、前記弾性栓本体が、中央部材と、中央部材の高さ方向中間部に連設された上方に向かって外方に拡がった環状のテーパー部材と、中央部材の上部に連設された環状の張出縁とを有しており、前記テーパー部材は、その下部が中央部材に連設され、その上部と中央部材との間に間隙が形成されており、鎖取付軸の下部が弾性栓本体に埋設されている栓。
【発明の詳細な説明】
【技術分野】
【０００１】
本発明は浴槽等の排水口金の栓として好適な栓に関する。
【背景技術】
【０００２】
従来、この種の栓として以下の如きものは知られている。
軸心を上下方向に向けた金属製の鎖取付軸と、この鎖取付軸に設けられた弾性栓本体とを有し、前記弾性栓本体が、下側部材と、下側部材の上方に位置する上側部材とからなり、前記下側部材が、中央部材（芯部材）と、中央部材に連設された上方に向かって外方に拡がった環状のテーパー部材とを有し、前記上側部材が、中央部材（芯部材）と、中央部材の上部に連設された環状の張出縁とを有しており、前記テーパー部材は、その下部が下側部材の中央部材に連設され、その上部と下側部材の中央部材との間に間隙が形成されており、鎖取付軸の下部が弾性栓本体の下側部材に埋設されており、弾性栓本体の上側部材が、その中心部に形成された上下に貫通する貫通孔を利用して鎖取付軸に嵌められているものは知られている。
【特許文献１】なし
【発明の開示】
【発明が解決しようとする課題】
【０００３】
前記従来の栓には以下の如き欠点があった。
弾性栓本体が下側部材と上側部材との２つの部材からなるものであったため、製造コストが高くなるという欠点があった。
【課題を解決するための手段】
【０００４】
本発明は前記欠点を解消するために以下の如き手段を採用した。
請求項１の発明は、軸心を上下方向に向けた金属製の鎖取付軸と、この鎖取付軸に設けられた弾性栓本体とを有し、前記弾性栓本体が、中央部材と、中央部材の高さ方向中間部に連設された上方に向かって外方に拡がった環状のテーパー部材と、中央部材の上部に連設された環状の張出縁とを有しており、前記テーパー部材は、その下部が中央部材に連設され、その上部と中央部材との間に間隙が形成されており、鎖取付軸の下部が弾性栓本体に埋設されているものである。
【発明の効果】
【０００５】
本発明は前記した如き構成によって以下の如き効果を奏する。
請求項１の発明によれば、弾性栓本体が一体ものであるので、従来に比較して製造コストの低減を図ることが出来る。
【発明を実施するための最良の形態】
【０００６】
以下に本発明の実施の形態を説明する。
【０００７】
浴槽等の排水口金（図示略）に着脱自在に嵌められる栓１は、軸心を上下方向に向けた断面円形の金属製の鎖取付軸３と、この鎖取付軸３に設けられた弾性栓本体４とを有している。
【０００８】
前記弾性栓本体４が、平面視円形の中央部材６と、中央部材６の高さ方向中間部に連設された上方に向かって外方に拡がった環状のテーパー部材７と、中央部材６の上部に連設された環状の張出縁８とを有している。
【０００９】
前記テーパー部材７は、その下部が中央部材６に連設され、その上部と中央部材６との間に間隙１０が形成されている。
【００１０】
前記テーパー部材７は排水口金に嵌まり込むようになされ、前記張出縁８は排水口金の上面に密接するようになされている。
【００１１】
前記鎖取付軸３は弾性栓本体４に埋設されている。その具体的手段は以下の通りである。弾性栓本体４の成形型（図示略）のキャビティー内に、鎖取付軸３の、弾性栓本体４に埋設される部分を位置させ、その後、成形型のキャビティー内に弾性栓本体４の流動原料（ゴム・合成樹脂等からなる流動原料）を注入し、流動原料の硬化後、成形型から栓１を取り出すことにより、鎖取付軸３を弾性栓本体４に埋設した構造とすることが出来る。
【００１２】
前記鎖取付軸３の下部に下部フランジ１２が連設され、鎖取付軸３の上部に上部フランジ１３が連設されている。また、鎖取付軸３の、下部フランジ１２と上部フランジ１３との間の部分には軸心を水平とした断面円形の貫通孔１５が形成され、この貫通孔１５内に流動原料が流入するようになされている。
【００１３】
前記鎖取付軸３の上部には軸心を水平とした断面円形の貫通孔１７が形成され、この貫通孔１７に鎖取付具１８が嵌められている。鎖取付具１８には鎖（図示略）が連結されている。
【００１４】
以下に変形例等について説明を加える。
（１）弾性栓本体４の素材は、硬化後に弾性を有するものであれば任意である。
（２）鎖取付軸３の形状は任意である。
【図面の簡単な説明】
【００１５】
【図１】本発明の実施の形態を示す縦断面図である。
【符号の説明】
【００１６】
１  栓
３  鎖取付軸
４  弾性栓本体
６  中央部材
７  テーパー部材
１０  間隙
【図１】
2005230296.tif 000003
(57)【要約】      【課題】  木炭と海水塩を同時に製造する。      【解決手段】  木炭を製造する槽と海水の蒸発槽を接続する。海水釜焚き塩の精製にあたっての熱源の確保と山林資源の有効利用ができる。      【選択図】  図１
2005343743.tif 000002
【特許請求の範囲】
【請求項１】
炭焼き釜と塩焼き釜のセット。
「炭焼きにより発生する熱を利用して蒸発させる事」
【発明の詳細な説明】
【技術分野】
【０００１】
木炭の製造時に発生する熱源を利用して自然塩、及びにがりの製造をする。
【背景技術】
【０００２】
従来釜焚き塩は山林木材叉は石炭の燃焼によって製造がなされていた。此れは人類的エネルギ-の損失であり相当の労力も必要とします。
従って炭焼き釜と塩焼き釜をセットすることによって、労力的にもエネルギ-的にも、叉山林資源の有効活用の面からも最も効果的な方法と考えます。
【発明の開示】
【発明が解決しようとする課題】
【０００３】
海水釜焚き塩の精製にあたっての熱源の確保と山林資源の有効利用。
【課題を解決するための手段】
【０００４】
炭焼き釜の熱を最大限に利用する為に自然循環式余熱釜と仕上げ釜を炭焼き釜の周囲にセットする。
【発明の効果】
【０００５】
熱エネルギ-も無駄なく利用しながら山林資源の有効利用と製品としての木炭及び木酢油。自然海釜焚き塩及びにがり等の製品がえられる。
【発明を実施するための最良の形態】
【０００６】
木炭を製造する槽を中心に設置する。
ロ）木炭槽の廻りに海水自然余熱循環式貯留槽を左右、後面及び上部に設置する。
上部に塩の仕上げ製造槽を設置する。
二）塩焚き釜は余熱釜と仕上げ釜の２層式として仕上げ釜の回転に応じて余熱釜から供給する。
【図面の簡単な説明】
【０００７】
【図１】本説明の透視図
【図２】本説明の平面図
【図３】本説明の断面図
【符号の説明】
【０００８】
イ）  木炭槽  （炭のできる槽）
ロ）  海水の貯留槽  （予熱槽）
ハ）  塩のできる槽  （仕上げ釜）
ニ）  給水栓  （蒸発に応じて供給する）
【図１】
2005343743.tif 000003
【図２】
2005343743.tif 000004
【図３】
2005343743.tif 000005
【手続補正書】
【提出日】平成16年6月30日(2004.6.30)
【手続補正１】
【補正対象書類名】明細書
【補正対象項目名】０００６
【補正方法】変更
【補正の内容】
【０００６】
木炭を製造する槽を中心に設置する。
ロ）木炭槽の廻り、又は内部配管により海水自然余熱循環式貯留槽を左右、後面及び上部に設置する。
上部に塩の仕上げ製造槽を設置する。
ニ）塩焚き釜は余熱釜と仕上げ釜の２層式として仕上げ釜の状況に応じて余熱釜から供給する。
(57)【要約】【課題】簡単に内容物の飛び出しを防止できるプラスチックフィルム製の袋を提供する。【解決手段】内容物収納空間の両面をなすフィルム１の封緘部を切断して開封するプラスチックフィルム製の袋において、前記フィルム１を横方向の折目５に沿って折り曲げ、その折目５の両端に位置する折曲シール部６で重なり合ったフィルム１同士を接着することにより、開封して、折目５に沿ったフィルム１の折り曲げを一時的に伸ばし、開口部から内容物を取り出した後、手を離すと、フィルム１が折曲状態に戻るようにする。【選択図】図３
2005343471.tif 000002
【特許請求の範囲】
【請求項１】
内容物収納空間の両面をなすフィルムの封緘部を切断して開封するプラスチックフィルム製の袋において、前記フィルムを横方向の折目に沿って折り曲げ、その折目の両端に位置する折曲シール部で重なり合ったフィルム同士を接着し、折曲状態を保持するようにしたことを特徴とする飛出防止袋。
【発明の詳細な説明】
【技術分野】
【０００１】
この発明は、飴や米菓等を収納するプラスチックフィルム製の袋に関するものである。
【背景技術】
【０００２】
一般に、この種の袋として、図４に示すように、内容物収納空間の両面をなすフィルム５１を上端縁に沿ったシール部５２で接着して封緘し、このシール部５２より下方の切断位置５３でフィルム５１を切断して開封するものが使用されている。
【０００３】
このような袋を開封した状態で持ち歩くと、内容物が袋から飛び出す恐れがあるため、上記袋では、切断位置５３の下方に、突条と溝とから成る帯状のファスナ５４を設け、その突条を溝に押し込んで再封緘できるようにしている。
【発明の開示】
【発明が解決しようとする課題】
【０００４】
しかしながら、上記のような袋を再封緘するには、ファスナ５４の突条と溝の位置を一致させて、数箇所でファスナ５４をフィルム５１の外側から摘まなければならず、再封緘に手間がかかるほか、突条と溝の位置がずれていると、再封緘できないこともある。
【０００５】
そこで、この発明は、簡単に内容物の飛び出しを防止できるプラスチックフィルム製の袋を提供することを課題とする。
【課題を解決するための手段】
【０００６】
上記課題を解決するため、この発明は、内容物収納空間の両面をなすフィルムの封緘部を切断して開封するプラスチックフィルム製の袋において、前記フィルムを横方向の折目に沿って折り曲げ、その折目の両端に位置する折曲シール部で重なり合ったフィルム同士を接着し、折曲状態を保持するようにしたのである。
【発明の効果】
【０００７】
このような袋では、開封して、折目に沿ったフィルムの折り曲げを一時的に伸ばし、開口部から内容物を取り出した後、手を離すと、フィルムが折り曲げた状態に戻り、開口部が閉じられるので、再封緘の手間を要することなく、持ち運び時における内容物の飛び出し等を防止することができる。
【発明を実施するための最良の形態】
【０００８】
以下、この発明の実施形態を添付図面に基づいて説明する。
【０００９】
図１に示すプラスチックフィルム製の袋は、内容物収納空間の両面をなすフィルム１を下端縁及び両側縁に沿った外周シール部２で接着し、飴等の内容物を収納した後、上端縁に沿った封緘シール部３で接着して封緘され、封緘シール部３から間隔をおいた切断位置４の両端には開封用の切込が形成されている。
【００１０】
そして、これらのフィルム１は、横方向の折目５に沿って折り曲げられ、その折目５の両端に設けた折曲シール部６で重なり合ったフィルム１同士がヒートシールにより接着されて、折曲状態が保持されるようになっている。
【００１１】
上記のような袋を開封する際には、切断位置４において、重なり合ったフィルム１を一端の切込から他端の切込へかけて共に切断し、封緘シール部３を除去して、開封した状態で、図２に示すように、折目５に沿ったフィルム１の折り曲げを一時的に伸ばすと、開口部から内容物を取り出すことができる。
【００１２】
その後、袋から手を離すと、図３に示すように、フィルム１が折曲シール部６での接着により、折り曲げた状態に戻り、開口部が閉じられるので、再封緘の手間を要することなく、持ち運び時における内容物の飛び出し等を防止することができる。
【図面の簡単な説明】
【００１３】
【図１】この発明に係る飛出防止袋の実施形態を示す斜視図
【図２】同上の開封状態を示す斜視図
【図３】同上の開封後の折曲状態を示す斜視図
【図４】従来の再封緘機能付袋を示す斜視図
【符号の説明】
【００１４】
１  フィルム
２  外周シール部
３  封緘シール部
４  切断位置
５  折目
６  折曲シール部
【図１】
2005343471.tif 000003
【図２】
2005343471.tif 000004
【図３】
2005343471.tif 000005
【図４】
2005343471.tif 000006
(57)【要約】【課題】  自動車の走行状態を後続車に明確に提供する機能を有するブレーキランプ。【解決手段】  ＬＥＤ（発光ダイオード）等２のマトリックス表示装置１に連動するマイクロコンピューター６に記憶した情報表示画像を自動車制動装置等情報伝達機能と連動する端子４を介し、画像を切り替えて表示する。また、通常表示内容等をスイッチ３により変更できる。なお、本機作動のため自動車電源より電力を求める電源端子５を有する。【選択図】  図１
2005343439.tif 000002
【特許請求の範囲】
【請求項１】
文字、記号、画像等が記憶、書き換えができ、静止、スクロール等の表現可能なマイクロコンピューターに制御される、ＬＥＤ（発光ダイオード）等で形成されたマトリックスにより、文字・記号等による情報を表示可能にしたブレーキランプ。
【請求項２】
マイクロコンピューターに記憶した通常文字情報と車両制動情報（文字・記号情報を含む）等を車両の情報機能と連動して表示する機能。
【請求項３】
明確な情報を色表示する機能
【発明の詳細な説明】
【発明の詳細な説明】
【技術分野】
【０００１】  本発明は自動車走行情報を後続車に提供するための装置であり、特に、後続車との安全に関するものである。
【背景技術】
【０００２】  ブレーキランプは運転手の操作により、車両制動装置に連動して作動する。【０００３】  デジタル技術の進歩で、ＬＥＤ（発光ダイオード）、ＬＳＤ（液晶パネル）、その他の発光ドットマトリックスの画面に文字、記号、画像等を色表示、画面切り替え、点滅、スクロール、動画等により情報表示ができる。
【発明の開示】
【発明が解決しようとする課題】
【０００４】  自動車の走行中には後続車に的確に情報を提供すべき状況が発生する。また、個々の車両はそれぞれに様々な事情を持って走行している。
従来の情報装置にはブレーキランプやハザードランプそして方向指示機等がある、現状ではそれらの装置を併用して停車、徐行、進路変更、渋滞情報、その他、緊急回避情報を後続車に提供している。これらの情報はあいまいで誤解により事故等の発生を招く危険性がある。
【課題を解決するための手段】
【０００５】  この発明は上記の問題点を解決するもので、ＬＥＤマトリックス表示機等の表示機能により文字等により自動車の走行状況を的確に後続車に伝えることができる。また、それらの情報は車両制動装置その他の機能と連動して切り替えることが出来るとともに、本発明装置内に記憶させたその他の情報（通常情報）を専用スイッチ等により切り替えて表示することが出来る。
【発明の効果】
【０００６】  この発明は走行状況の理由等を的確に後続車に提供することで情報の誤解を招くことなく安全の確保に効果がある。
【発明を実施するための最良の形態・実施例】
【０００７】    この発明を実施するためには、ＬＥＤマトリックスによる表示板を形成し、車両の後部、または、後続車による確認最適部に設置し、制動装置等と連動した情報をデジタル技術により表示する情報に変換し後続車に提供する。さらに、既存の情報伝達機能と併用することにより情報効果を高めることが出来る。
【図面の簡単な説明】
【０００７】
【図１】  本発明の概略図
【図２】  本発明の機能、概念図
【符号の説明】
１．  マトリックス表示装置
２．  発光装置（ＬＥＤ等）
３．  内部情報切り替えスイッチ
４．  連動装置接続端子
５．  電源端子
６．  マイクロコンピューター
【図１】
2005343439.tif 000003
【図２】
2005343439.tif 000004
(57)【要約】      （修正有）【課題】水面上を歩行できる水上歩行機の提供。【解決手段】発泡スチロールからなる足のせボードと、水かき形状のフィンが取り付けられた補助スティックと、ライフジャケットとからなる水上歩行機。【選択図】図１
2005343444.tif 000002
【特許請求の範囲】
【請求項１】
私の知る限り湖面を人間が歩く道具は一つも無い。
水上を歩く、もしくはスケートの様にすべり駆けるものはこれが初めてでありこの点において私は特許権を有するものとしたい。
【発明の詳細な説明】
【技術分野】
【０００１】  本発明は、サーフィンのサーフボードに形状変化を施して湖面等の波の無い水面上を歩行する水上歩行機に関するものである。
〔背景技術〕【０００２】サーフィンのサーフボードの浮力・下駄の花緒、サンダルのカカト止め【０００３】スキーのスティックの操作制と形状【０００４】ライフセーブベストの浮力と形状
〔発明が解決しようとする課題〕【０００５】右足、左足に付ける水上歩行機でその人間の体重を上まわる浮力を持たせられるかどうか。
〔課題を解決するための手段〕【０００６】右手、左手に浮力の高い発泡スチロールのスティックをつえのように持ち、もしもの時の為にライフジャケットを着用することとする。
〔発明を実施するための最良の形態〕【０００７】・水上歩行機（足のせボード）
ボード中央よりやや前に下駄の花緒の様なものを付けます。かかとにはサンダルのベルト付きのものをつけこの部位はスライド式にして調整可能にします。
水上歩行機自体はサーフボードと同じですが中の素材をもっと浮力のある軽量のものにします。
形状は前から後ろに向かって厚みを増し、左右も内側から外側に向けて厚みを増していきます。
フィンは前はシングルフィン、中間にダブルフィン後ろにはトリプルフィンを付けます。
いずれのフィンも着脱可能で角度も自由に変えられるようにします。使用する金属は軽量アルミです。
・水上歩行機（補助スティック）
これはやはり軽量アルミを使います。
持つ部分はウレタンを使用し、可動式にしてその人の身長に合わせるようにします。
丸い発泡スチロールの下には水鳥の水かきの形状をしたフィンを取り付けます。
・水上歩行機〔ライフジャケット〕
ライフジャケットに水鳥の羽根を付けます。
羽根は着脱可能にします。
【図面の簡単な説明】〔図１〕水上歩行機の足のせ部分である
上から、横から、下からと載せてある
前述したようにボードの厚みは前から後ろ内側から外側に向けて増していくように作っていき、かかと部位は可動式フィンも着脱可能で角度調整も出来るようにする
〔図２〕水上歩行機のスティック部分である
水かきの形状は扇形をしている
ウレタンの持ち手部位は可動式である。
〔図３〕ライフジャケットに羽根を取り付けたのは遊び心からである
水泳の得意な人間には不要なものであるのでこのライフジャケットはオプションパーツといっとも構わないと考えている。
【図１】
2005343444.tif 000003
【図２】
2005343444.tif 000004
【図３】
2005343444.tif 000005
(57)【要約】      （修正有）【課題】両ペタル操作を左右の足に分離することによりペタル踏み違えによる事故の発生と、左下肢の運動不足により生ずる健康不安を同時に解消する。【解決手段】右足だけによる両ペタル操作をブレーキは左足、アクセルは右足とペタル操作を両足に分離することにより、踏み違えにより発生する事故を根本的に解決したものである。シートベルトやエアパックなどの、安全対策は、いづれも事故発生後の運転者対策であるのに対し、本発明は、事故発生の原因を根本から解決したばかりか、同時に健康不安も解消することを特徴とするものである。【選択図】図１
2005343448.tif 000002
【特許請求の範囲】
【請求項１】
ＡＴ車のフットブレーキ操作を左足とするため、左足前にフットブレーキペタルを新しく設置する。
【発明の詳細な説明】
【発明の詳細な説明】
【０００１】〔発明の属する技術分野〕
ＡＴ車のフットブレーキペタル（以下ブレーキ）操作を左足とし、アクセルペタル（以下アクセル）を右足とし、両ペタル操作を左右の足に分離することによりペタル踏み違えによる事故の発生と、健康不安を同時に解消する。
【０００２】〔従来の技術〕
ＡＴ車は運転が便利になり、簡単になった反面、ＭＴ車時代には発生しなかったペタル踏み違えによる事故と健康不安が発生するようになった。ＭＴ車はアクセルとブレーキ両ペタルの中間に、ギヤ変速とクラッチ操作というクッションがあったため、ペタル踏み違えによる事故は発生しなかったが、ＡＴ車はこのクッションが無くなったのに、それまでの右足による両ペタル操作をそっくりそのまま踏襲したため事故発生の原因を作ってしまったのである。
（イ）ペタルの踏み違えにより、２階、３階の駐車場から地上に転落した。
（ロ）ペタルの踏み違えにより、いきなりの発進で前にいた人にぶつけてしまった。
（ハ）ペタルの踏み違えにより、いきなりのバックで後ろにいた子供にぶつけてしまった。
（ニ）ペタルの踏み違えにより店先に止めるつもりが店内に飛び込んでしまった。
（ホ）ペタルの踏み違えにより、人身事故は表面に出るが、物損だけの事故は運転者の恥になるのか表面には出てこない。
（へ）腰掛け姿勢で運動量ゼロの左下肢は、静脈血やリンパ液の還流が阻害され血栓やムクミが発生して、脳梗塞や肺動脈つまりの引き金となる。
この状態は最近問題となっている航空機のエコノミークラス症候群と同一の問題である。
【０００３】〔発明が解決しようとする課題〕
（イ）ペタルの踏み違えにより発生する人身を含む事故。
（ロ）左下肢の運動不足により生ずる健康不安。
【０００４】〔課題を解決するための手段〕
左足前にブレーキペタルを特設し、ブレーキ操作は左足とするが、左足が慣れるまでは右足ブレーキと同調する、練習は教習所とする。
【０００５】〔発明の実施の形態〕
従来の右足によるペタル操作は、両ペタルが右足前に揃っているため一瞬の迷いが事故となっていたが、本発明の左足操作は反射的に作用して、事故とはならない。これは３０数年になる実施経験からもはっきりと証明できる。
３０数年前ＭＴ車からＡＴ車となった時、左足の出番がまったく無いのに気がつき当時は車も少なかったので空地で１日練習しただけで左足ブレーキとなった。
両手には右利き左利きがあるが、左右の足のデリカシーはまったく変わらないので、コップの水をこぼさない発進も、カックンブレーキも自在であり、特にパニックブレーキは、アクセルに慣れた右足より、左足はガーンと踏める。
パニックブレーキに就いてＪＡＦのテストでも、シートポジションのちょっとした違いでも、ペタルの踏み替えに時間がかかり、空走距離に１０％以上の差が出るという。（時速５０ｋｍ）
【０００６】〔発明の効果〕
（イ）ペタルの踏み違えにより発生していた事故が皆無となる。
（ロ）健康不安とストレスの原因が無くなった。
（ハ）ヒール＆トウの技術が一般的となり坂道発進が楽になった。
【図面の簡単な説明】図１  本発明の正面図  左足前にフットブレーキペタルを新設する
図２  本発明の正面図  右足前のフットブレーキペタルを撤去する
【符号の説明】
１、フットブレーキペタル、２、アクセルペタル、３車体
【図１】
2005343448.tif 000003
【図２】
2005343448.tif 000004
(57)【要約】【課題】乗用車後部移動座席下のレール部分へのゴミ、ほこり、小物の落下  小児の指等挟む危険性を解消する為、レール部分をふさぐファスナー機能の軸輪ファスナーを提供する。【解決手段】座席下に接続板４を取り付け３のベアリングを取り付ける。レールの上で使うことによってファスナーの要領で隙間をふさぐことが出来る。  軸輪ファスナーの下２キャスターのみ  又３ベアリングのみ  又すべて外し本体を直接滑らせて防ぐことも可能になる。【選択図】  図４
2005343442.tif 000002
【特許請求の範囲】
【請求項１】
乗用車の後部移動座席部分下に軸輪ファスナーを取り付けることによって溝になる    レールへのゴミ、ほこり、小物の落下を防ぐことが出来る。
【請求項２】
旅客機内の機内サービス配膳台の下に軸輪ファスナーとレールを取り付けることに    よって乱気流等あった場合、物又は配膳台が飛び散る惨事を防ぐことが出来る。
【請求項３】
レール使用により移動する機械で尚かつ軸輪ファスナーを必要とする箇所での安全    確実作業が出来る。
【発明の詳細な説明】
【発明の詳細な説明】
【技術分野】
【０００１】    本発明は乗用車の後部移動座席部分下に軸輪ファスナーを取り付けることによってレール隙間をふさぐことが可能となり、レールへのゴミ、ほこり、小物落下を防ぐことが出来るようにしたものである。
【背景技術】
【０００２】  従来はレールの隙間を自動的に防ぐ技術はどこにもなかった。
【発明が解決しようとする課題】
【０００３】  レールの隙間を防ぐことによりゴミ、ほこり、小物の落下を防ぎ  尚かつ小児の指等挟む危険を未然に防ぐことが出来る。
【課題を解決する為の手段】
【０００４】    座席の下に軸輪ファスナーを取り付ける、或いは軸輪ファスナーの下にキャスター又はベアリングを取り付けることによって座席の前後、左右への移動と同時にファスナーの要領で自動的に隙間を防ぐことが出来る。
【発明を実施するための最良の形態】
【０００５】以下、本発明の実施の形態について説明する。
（イ）接続板４に座席を取り付け３のベアリングを取り付ける。レールの上で使うことによってファスナーの要領で隙間を防ぐ。
（ロ）軸輪ファスナーの下２キャスターをはずし３を使って使用可能となる。３をはずして２キャスターのみでも使用可能。
２キャスター、３ベアリング共に外しても直接滑るのでレールの上でも使用可能。
【発明の効果】
【０００６】  軸輪ファスナーを使用することによって従来の後部座席の床にあるレールの隙間をなくすことが出来る。これによってゴミ、ほこり、小物の落下を防ぎ  砂、小石のつまりによって起こる耳障りな音も解消出来る。又小児の指等挟む危険性を未然に防ぐことが出来る。
【図面の簡単な説明】
【図１】  本発明の正面図である。
【図２】  本発明の断面図である。
【図３】  本発明の平面図である。
【図４】    本発明の立体図である。
【符号の説明】
１  軸輪ファスナ本体
２  キャスター
３  ベアリング
４  接続板
５  接続穴
６  ネジ山
【図１】
2005343442.tif 000003
【図２】
2005343442.tif 000004
【図３】
2005343442.tif 000005
【図４】
2005343442.tif 000006
【手続補正書】
【提出日】平成16年12月14日(2004.12.14)
【手続補正１】
【補正対象書類名】明細書
【補正対象項目名】全文
【補正方法】変更
【補正の内容】
【発明の詳細な説明】
【技術分野】
【０００１】  本発明は乗用車の後部移動座席部分下に軸輪ファスナーを取り付けることによってレール隙間をふさぐことが可能となり、レールへのゴミ、ほこり、小物落下を防ぐことが出来るようにしたものである。
【背景技術】
【０００２】  従来はレールの隙間を自動的に防ぐ技術はどこにもなかった。
【発明が解決しようとする課題】
【０００３】  レールの隙間を防ぐことによりゴミ、ほこり、小物の落下を防ぎ  尚かつ小児の指等挟む危険を未然に防ぐことが出来る。
【課題を解決する為の手段】
【０００４】  座席の下に軸輪ファスナーを取り付ける、或いは軸輪ファスナーの下にキャスター又はベアリングを取り付けることによって座席の前後、左右への移動と同時にファスナーの要領で自動的に隙間を防ぐことが出来る。
【発明を実施するための最良の形態】
【０００５】以下、本発明の実施の形態について説明する。
（イ）接続板４に座席を取り付け３のベアリングを取り付ける。レールの上で使うことによってファスナーの要領で隙間を防ぐ。
（ロ）軸輪ファスナーの下２キャスターをはずし３を使って使用可能となる。３をはずして２キャスターのみでも使用可能。
２キャスター、３ベアリング共に外しても直接滑るのでレールの上でも使用可能。
（ハ）１２取り付け用ネジ穴を使用して、車の座席に１１軸輪ファスナー本体を取り付ける。
１４支え用金属板で１３ベアリングを固定して、１３ベアリングを使ってレールの上で使用可能。
【図面の簡単な説明】
【０００６】
【図１】  本発明の正面図である。
【図２】  本発明の断面図である。
【図３】  本発明の平面図である。
【図４】  本発明の立体図である。
【図５】  本発明の立体図である。
【図６】  本発明の平面図である。
【図７】  本発明の立面図である。
【図８】  本発明の側面図である。
【図９】  本発明のイメージ図である。
【符号の説明】
【０００７】  １  軸輪ファスナ本体
２  キャスター
３  ベアリング
４  接続板
５  接続穴
６  ネジ山
１１  軸輪ファスナー本体
１２  取り付け用ネジ穴
１３  ベアリング
１４  支え用金板
【手続補正２】
【補正対象書類名】図面
【補正対象項目名】図５
【補正方法】追加
【補正の内容】
【図５】
2005343442.tif 000007
【手続補正３】
【補正対象書類名】図面
【補正対象項目名】図６
【補正方法】追加
【補正の内容】
【図６】
2005343442.tif 000008
【手続補正４】
【補正対象書類名】図面
【補正対象項目名】図７
【補正方法】追加
【補正の内容】
【図７】
2005343442.tif 000009
【手続補正５】
【補正対象書類名】図面
【補正対象項目名】図８
【補正方法】追加
【補正の内容】
【図８】
2005343442.tif 000010
【手続補正６】
【補正対象書類名】図面
【補正対象項目名】図９
【補正方法】追加
【補正の内容】
【図９】
2005343442.tif 000011
(57)【要約】【課題】簡単かつ確実に再封緘できるプラスチックフィルム製の袋を提供する。【解決手段】内容物収納空間の両面をなすフィルム１の封緘部を切断して開封するプラスチックフィルム製の袋において、片側のフィルム１の外面に硬質プラスチックの薄板から成る再封緘部材５を切断位置から間隔をおいて貼り付け、この再封緘部材５にＳ字状の切目を入れて、互いに突き出した一対の係止片６を形成すると共に、その外側に折り曲げの軸となる横方向のヒンジ線７を入れ、開封後、再封緘部材５のヒンジ線７に沿ってフィルム１を折り曲げ、これに伴い起き上がった一対の係止片６を撓ませつつ噛み合わせると、フィルム１の折り曲げの戻りが防止されるようにする。【選択図】図５
2005343470.tif 000002
【特許請求の範囲】
【請求項１】
内容物収納空間の両面をなすフィルムの封緘部を切断して開封するプラスチックフィルム製の袋において、片側のフィルムの外面に硬質プラスチックの薄板から成る再封緘部材を切断位置から間隔をおいて貼り付け、この再封緘部材に切目を入れて一対の係止片を形成すると共に、その外側に折り曲げの軸となる横方向のヒンジ線を入れ、再封緘部材のヒンジ線に沿ってフィルムを折り曲げ、係止片同士を噛み合わせると、フィルムの折り曲げの戻りが防止されるようにしたことを特徴とする再封緘機能付袋。
【発明の詳細な説明】
【技術分野】
【０００１】
この発明は、飴や米菓等を収納するプラスチックフィルム製の袋であって、再封緘機能を備えたものに関する。
【背景技術】
【０００２】
一般に、この種の袋として、図６に示すように、内容物収納空間の両面をなすフィルム５１を上端縁に沿ったシール部５２で接着して封緘し、このシール部５２より下方の切断位置５３でフィルム５１を切断して開封するものが使用されている。
【０００３】
このような袋を開封した状態で持ち歩くと、内容物が袋から飛び出す恐れがあるため、上記袋では、切断位置５３の下方に、突条と溝とから成る帯状のファスナ５４を設け、その突条を溝に押し込んで再封緘できるようにしている。
【発明の開示】
【発明が解決しようとする課題】
【０００４】
しかしながら、上記のような袋を再封緘するには、ファスナ５４の突条と溝の位置を一致させて、数箇所でファスナ５４をフィルム５１の外側から摘まなければならず、再封緘に手間がかかるほか、突条と溝の位置がずれていると、再封緘できないこともある。
【０００５】
そこで、この発明は、簡単かつ確実に再封緘できるプラスチックフィルム製の袋を提供することを課題とする。
【課題を解決するための手段】
【０００６】
上記課題を解決するため、この発明は、内容物収納空間の両面をなすフィルムの封緘部を切断して開封するプラスチックフィルム製の袋において、片側のフィルムの外面に硬質プラスチックの薄板から成る再封緘部材を切断位置から間隔をおいて貼り付け、この再封緘部材に切目を入れて一対の係止片を形成すると共に、その外側に折り曲げの軸となる横方向のヒンジ線を入れ、再封緘部材のヒンジ線に沿ってフィルムを折り曲げ、係止片同士を噛み合わせると、フィルムの折り曲げの戻りが防止されるようにしたのである。
【発明の効果】
【０００７】
このような袋では、開封後、フィルムを再封緘部材と共にヒンジ線に沿って折り曲げ、これに伴い起き上がった一対の係止片を撓ませつつ噛み合わせるだけで、フィルムの折り曲げの戻りが防止されて、再封緘された状態となり、持ち運び時における内容物の飛び出し等を防止することができる。
【発明を実施するための最良の形態】
【０００８】
以下、この発明の実施形態を添付図面に基づいて説明する。
【０００９】
図１に示すプラスチックフィルム製の袋は、内容物収納空間の両面をなすフィルム１を下端縁及び両側縁に沿ったシール部２で接着し、飴等の内容物を収納した後、上端縁に沿ったシール部３で接着して封緘される。シール部３より下方の切断位置４の両端には、開封用の切込が形成されている。
【００１０】
この袋の片側のフィルム１の外面には、硬質プラスチックの薄板から成る再封緘部材５が切断位置４の下方に貼り付けられ、この再封緘部材５には、Ｓ字状の切目を入れて、互いに突き出した一対の係止片６が形成されると共に、その外側に横方向のヒンジ線７が入れられている。ヒンジ線７の延長線上には、フィルム１に折目線８が入れられている。
【００１１】
上記のような袋を開封する際には、切断位置４において、重なり合ったフィルム１を一端の切込から他端の切込へかけて共に切断し、その上方のシール部３を除去して、図２に示すように、内容物収納空間を開口させる。
【００１２】
また、このように開口させた袋を再封緘する際には、図３及び図４に示すように、フィルム１を再封緘部材５と共にヒンジ線７及び折目線８に沿って折り曲げる。これに伴い、一対の係止片６が再封緘部材５の外周部から抜け出すように起き上がる。
【００１３】
そして、図５に示すように、一対の係止片６を撓ませつつ、がま口の口金のように互いに噛み合わせると、フィルム１の折り曲げの戻りが防止され、再封緘された状態となり、持ち運び時における内容物の飛び出し等を防止することができる。
【００１４】
なお、この実施形態では、重なり合ったフィルム１をヒンジ線７の位置で確実に折り曲げるため、フィルム１に折目線８を入れたが、フィルム１が柔軟で反発が弱いものであれば、折目線８を省略してもよい。
【００１５】
また、再封緘部材５において、一対の係止片６の内側縁同士が接するようにＳ字状の切目を入れたが、再封緘時に係止片６同士を先端側で噛み合わせることができれば、係止片６の基端側に間隔が開くように切目を入れてもよい。
【図面の簡単な説明】
【００１６】
【図１】この発明に係る再封緘機能付袋の実施形態を示す斜視図
【図２】同上の開封状態を示す斜視図
【図３】同上の再封緘過程を示す斜視図
【図４】同上の再封緘過程を示す斜視図
【図５】同上の再封緘状態を示す斜視図
【図６】従来の再封緘機能付袋を示す斜視図
【符号の説明】
【００１７】
１  フィルム
２，３  シール部
４  切断位置
５  再封緘部材
６  係止片
７  ヒンジ線
８  折目線
【図１】
2005343470.tif 000003
【図２】
2005343470.tif 000004
【図３】
2005343470.tif 000005
【図４】
2005343470.tif 000006
【図５】
2005343470.tif 000007
【図６】
2005343470.tif 000008
(57)【要約】【課題】  パレット・ストレッチフィルム包装機を、いかなる形状のパレットにも最短距離で接近、容易に密着を可能にする。【解決手段】  パレット・ストレッチフィルム包装機を搭載する台車にＶ字型切り込みを入れて、どの角からでもパレットに密着できるようにした。【選択図】  図１
2005343561.tif 000002
【特許請求の範囲】
【請求項１】
パレット・ストレッチフィルム包装機を搭載する台車のベースにＶ字型の切り込みをつけたＶ字型台車。
【発明の詳細な説明】
【発明の詳細な説明】
【技術分野】
【０００１】  本発明は、パレット・ストレッチフィルム包装機を搭載する台車のベースにＶ字型の切り込みをつけたＶ字型台車に関するものである。
【背景技術】
【０００２】  従来、パレット・ストレッチフィルム包装機は固定式で、ワークを積んだパレットを回転テーブル上に運んで回転させることによってストレッチフィルムを巻き付ける方式であった。その後、パレットを動かすことなく、包装機がパレットに接近し、フィルム自体が回転してワークに巻き付ける方式が開発されたが、その移動の手段と包装機をパレットに密着させる目的で次の方法が取られていた。【０００３】  一つには、包装機をキャスター付きハンドリフトに取りつけ、２本の爪をパレット側面の隙間に差し込んで使用する。もう一つは、台車の足をコの字型にしてパレットを挟み込むようにした方法である。【０００４】  上述の前者の場合、フォークの爪を差し込む隙間のない形状のパレットには使用できないし、爪を差し込む隙間があったとしても、包装機本体の荷重が掛かるため、爪の先端をパレットの底板の段差を乗り越えさせるのが困難である。
また後者の場合、パレットを挟み込むためにコの字型台車の足の幅を大きくする必要があるので移動作業がしにくい。また、パレットの大きさとコの字足の幅が必ずしも一致するとは限らないので、使用上大きな制約がある。
【発明が解決しようとする課題】
【０００５】  本発明は、従来の技術の有するこのような問題点を解決するため、どんな形状のパレットにも適応できる、移動可能なパレット・ストレッチフィルム包装機の技術を提供しようとするものである。
【課題を解決するための手段】
【０００６】  上記目的を達成するため、パレット・ストレッチフィルム包装機を搭載する台車のベースにＶ字型切り込みをつけるようにした。
【発明を実施するための最良の形態】
【０００７】  本発明の実施の形態について図面を参照して説明する。図１はＶ字型台車にストレッチフィルム包装機が取り付けられている状況を示すものである。図２はＶ字型台車が使用されている状況示すものである。図３は従来のハンドリフトが使用されている状況を示すものである。図４は従来のコの字型台車が使用されている状況を示すものである。
【発明の効果】
【０００８】  本発明は上述のとおり構成されているので、パレットのどの角にも最短距離で接近でき、Ｖ字型の切り込みでパレットを抱き込むように密着するので、ストレッチフィルム包装機が作動中にも安定した状況を維持することができる。
【図面の簡単な説明】
【図１】  包装機がＶ字型台車に取り付けられた状況の斜視図である。
【図２】  包装機がＶ字字型台車に取り付けられた状況の平面図である。
【図３】  包装機がハンドリフトに取り付けられた状況の平面図である。
【図４】  包装機がコの字型台車に取り付けられた状況の平面図である。
【符号の説明】
１  Ｖ字型台車
２  ストレッチフィルム回転アーム
３  同アームの支柱
４  同アームの駆動装置
５  同アームの回転軸
６  ストレッチフィルム
７  テンション調整ローラー
８  手押しハンドル
９  ハンドリフト
１０  コの字型台車
１１  パレット
【図１】
2005343561.tif 000003
【図２】
2005343561.tif 000004
【図３】
2005343561.tif 000005
【図４】
2005343561.tif 000006
(57)【要約】【課題】さまざまな形状の物体の収納、固定、その後の物体の取出しの困難なところ【解決手段】収納ケース（入れ物）内部へ複数の突起を設け、突起と突起との空間部分と突起本体を利用した、さまざまな形状の物体に対応した収納、固定、取出を容易にする。【選択図】「図２」
2005343564.tif 000002
【特許請求の範囲】
【請求項１】
複数の突起部分の突起と突起との空間と突起自体を利用したさまざまな形状の物体の収納方法
【請求項２】
複数の突起部分の突起と突起との空間と突起自体を利用したさまざまな形状の物体の固定方法
【請求項３】
複数の突起部分の突起と突起との空間と突起自体を利用したさまざまな形状の物体の収納、固定後のそこから物体を引きぬくことによる取出しの容易なところ（短時間での）
【請求項４】
複数の突起をほどこしたケース（入れ物）による釣具ルアー（疑似餌）のはり部分の収納方法
【請求項５】
複数の突起をほどこしたケース（入れ物）による釣具ルアー（疑似餌）のはり部分の複数収納した場合のはり部分どうしの接触をふせぐところ。
【発明の詳細な説明】
【技術分野】
【０００１】
【背景技術】
【０００２】金属、プラスチック、などさまざまな材質を使用した収納ケースの在存
【発明の開示】
【０００３】収納をしようとする物体にさまざまな大きさの突起部分がある場合それに合わせた形状の収納物をつくらなければいけないが収納物（ケース）の内部に複数の突起をつくり突起と突起の空間と突起自体を利用して、収納固定そこからの取出しを容易にさせること。
【発明が解決しようとする課題】
【０００４】さまざまな形状の物体の容易な収納、固定、そこからの取出
【課題を解決するための手段】
【０００５】収納ケースの内部に複数の突起部分をつくり、突起と突起との空間と突起自体を利用し、収納したい物体の突起部分を収納、固定し、運搬、そこからの取出を容易にする
【発明の効果】
【０００６】さまざまな物体の収納、固定、とそこからの取出しを容易にさせる
【発明を実施するための最良の形態】
【０００７】金型による収納ケースの作成と使用
【実施例】
【０００８】
【産業上の利用可能性】
【０００９】さまざまな材質を使用した、収納ケースの作成とさまざまな交通手段でのさまざまな形状の物体の容易な収納、固定、（短時間での）また運搬後の容易な物体の取出（短時間での）
【図面の簡単な説明】
【００１０】複数の突起をほどこした収納ケースの図面【図１】「複数の突起をほどこした収納ケースの平面図である」
【図２】「複数の突起をほどこした収納ケースの断面図である」
【符号の説明】
【００１１】１複数の突起
２．固定用スポンジ
３．収納ケースのふた
４．ルアー（疑似餌）の本体（例）
５．つりばり（例）
６．収納ケース底部
【図１】
2005343564.tif 000003
【図２】
2005343564.tif 000004
(57)【要約】【課題】  封筒を開封する時にハサミを用いて切断して切断ゴミを出さず、簡単に開封できる封筒を提供する。【解決手段】封筒１の蓋片２の折り曲げ線３を、通常の折り曲げ線２ｂより蓋片２の端面側に７〜１１ミリメートルずらして形成する。これを封すると通常の折り曲げ線２ｂの側面端部にペーパナイフ５を挿入する開口部４を形成する開封容易でゴミの出ない封筒を提供する。【選択図】  図２
2005343563.tif 000002
【特許請求の範囲】
【請求項１】
封筒１の蓋片２の折り曲げ線３を、封筒の通常の折り曲げ線２ｂより７〜１１ミリメートル蓋片２の端面側に移動して形成し、封をしたとき折り曲げ線３の側面端部に略三角形の開口部４を形成する開封容易でゴミの発生しないことを特徴とする封筒。
【発明の詳細な説明】
【技術分野】
【０００１】  従来の封筒を開封するときは、密封部端部をハサミで切り落とすためゴミが発生するが、本発明は、どんなサイズの封筒でも中味自体を損傷させず、またゴミを発生させることなく、しかも容易にペーパナイフで開封できる封筒に関するものである。
【背景技術】
【０００２】  従来、封筒は蓋片で密封されており、これを開封する場合ペーパナイフが簡単に挿入することができず、通常は封筒の端部をハサミで切断して開封する。この場合、内部の重要書類を損傷することもある。また、開封を容易にするため蓋片に複数のミシン目を入れて、ミシン目ラインで開封するのが公開されている。
これらは開封時に発生する切り離し部がゴミとして発生する欠点がある。ミシン目を入れる場合、製造のコストアップになる欠点を有する。
また、開封を容易にするため、封筒の折り込み線に糸を糊付けし、この糸を引いて開封するのが公開されている。しかも製造コストが掛かると共に、開封すると糸くずがゴミとして発生する欠点がある。【０００３】
【特許文献１】特開平７−１８７１９５
【特許文献２】特開平９−３０９５４０
【発明の開示】
【発明が解決しようとする課題】
【０００４】  本発明は前述の欠点を解消するためになされたものであり、どのような形状の封筒にも採用可能である。しかも、封筒の中味の書類や手紙等を損傷することなく、ペーパナイフのみで簡単に開封ができ、そして開封時に蓋片が封筒から分離しないので、多量の封書を開封してもゴミが発生せず机の回りを汚すことがなく開封作業効率も高い。そして環境にやさしい封筒を提供しようとするものである。【０００５】  特許文献１は開封箇所に複数のミシン目を形成するためコストアップになり、開封はミシン目に誘導されて開封し切り離しするためゴミが発生する。
特許文献２は蓋片の折り込み線に開封用糸を固着し糸を引いて開封するが、製造コストが高くなり、開封時に糸くずがゴミとして発生する欠点がある。
【課題を解決しようとするための手段】
【０００６】  本発明は、多量の封書の開封作業が簡単に手早くでき、しかもゴミを発生させない環境に優しい封筒を検討し、試作を重ねた結果、本発明を完成させたものである。
本発明は、開封のためのミシン目や開封用糸を使用せず、封筒の蓋片の折り込み形状を変えることで、開封容易で開封時にゴミを発生させない地球に優しい封筒を完成させた。
【発明の効果】
【０００７】  本発明は、封筒の蓋片の形状と、蓋片の折り込み線の位置を変えることで下記の効果を奏する。
１．開封は封筒の肩部に形成したペーパナイフ挿入口から、ペーパナイフを入れて、封書の中味を損傷することなく、しかも特別な技量を要せず開封することができる。
２．開封作業で蓋片をペーパナイフでカットしてもゴミが発生しない。
３．開封作業が短時間にできる。
４．封筒製造設備を新規導入することなく、既存の設備で利用して製造できるためコストアップにならない。
【発明を実施するための最良の形態】
【０００８】  以下本発明の実施の形態を説明する
本発明は図１図２に示すように、封筒１の蓋片２に折り曲げ線３を通常品の折り曲げ線２ｂより蓋片先端側に７〜１１ミリメートル程度ずらして形成する。封をする場合ずらした折り曲げ線３で折り込み糊付けする。糊付けしたものは、封筒の折り曲げ線３の側面端部に三角形の開口部４が形成される。
これを開封するときは、この開口部４にペーパナイフ５の先端を挿入して開封する。ペーパナイフ５が封筒１の内部の書類に掛からないで開封できる。ペーパナイフ５による開封は簡単にでき、封筒内部の書類や手紙等を容易に取り出すことができる。ペーパナイフ５による開封しても開封部が分離してゴミが発生することがない。なお、折り曲げ線３の位置は通常の折り込み線２ｂから７〜１１ミリメートルが最適であるが、さらに広げたり、狭くすることもできる。
【産業上の利用可能性】
【００１０】  本発明は、縦長封筒や横長封筒に限らず、折り曲げ線３を通常の折り曲げ線２ｂを蓋片２の端部にずらして形成することですべてに適用することが可能であり開封の作業効率を高めることができる。
【図面の簡単な説明】
【００１１】
【図１】本発明の開封容易な封筒の略平面図である。
【図２】本発明の開封容易な封筒を封したときの開口部略図である。
【図３】本発明の開口部にペーパナイフを挿入して開封状態を示す。
【図４】通常の封筒の密封状態図を示す。
【符号の説明】
【００１２】      １    封筒                    ３    本発明の折り曲げ線
２    蓋片                    ４    開口部
２ａ  糊代                    ５    ペーパナイフ
２ｂ  通常封筒の折り曲げ線位置
【図１】
2005343563.tif 000003
【図２】
2005343563.tif 000004
【図３】
2005343563.tif 000005
【図４】
2005343563.tif 000006